(57)【要約】【課題】表示窓と非常用キーを差し込む鍵穴とを把手の正面同一位置に備えられデザインがシンプルになるスライド式ドアロック装置を提供すること。【解決手段】ロックバーをスライドしてドア枠に設けたストライクに係合ロックし又はロック解除すると、把手の施解錠択一表示機構が施解錠状態を切換表示する。施解錠択一表示機構は、表示窓３１と、施錠状態を示す着色を有し当接時に非常用キーのキー挿入口を形成する開口縁３２ａ、３２ａを有する一対の施錠状態表示ピース３２、３２と、一対の施錠状態表示ピース３２、３２の裏面に刻設された一対のカム溝３２ｂと回転軸１６の端部の鍔３３に突設され一対のカム溝３２ｂに係合する一対の旋回ピン３４、３４とを有し、施錠状態にするときの回転軸１６の回転に連動し一対の施錠状態表示ピース３２、３２を当接しかつ開口縁３２ａ、３２ａにより非常用キーＫのキー挿入口を表示窓３１の中央に形成するカム機構とを備えた。【選択図】図１
2010090554.tif 000002
【特許請求の範囲】
【請求項１】
ドアを挟んで締着される内側取付ブロック及び把手と、
前記内側取付ブロックに被着されドア内面に沿って横スライド自在であり前記ドアに設けるストライクに対し施錠又は解錠するロックバーと、
前記ドアを貫通し一端が前記内側取付ブロック内に延びて軸支され他端が前記把手内に延びている回転軸と、
前記内側取付ブロック内に設けられ前記ロックバーの横スライドの直動を前記回転軸に回転運動として伝達する直動−回転動力変換機構と、
前記把手内に設けられ前記回転軸の回転に連動して施解錠状態に対応する色分け表示を前記把手に設ける表示窓より外部表示する施解錠択一表示機構と、
を備えたスライド式ドアロック装置において、
前記施解錠択一表示機構は、
前記回転軸の延長線上に一致して前記把手の正面に設けられた前記表示窓と、
前記表示窓に対応して前記把手に設けられたガイド溝にスライド可能に収容され表面に施錠状態を示す色が着いている開口縁を有する一対の施錠状態表示ピースと、
前記一対の施錠状態表示ピースの裏面に刻設された一対のカム溝及び前記回転軸の端部の鍔に突設され前記一対のカム溝に係合する一対の旋回ピンを含み、前記ロックバーが解錠状態から施錠状態になるときの前記回転軸の回転に連動して前記一対の施錠状態表示ピースを前記表示窓の中央から互いに離間して外れた位置から互いに接近して表示窓の中央で当接するカム機構と、
を備えてなることを特徴とするスライド式ドアロック装置。
【請求項２】
ドアを挟んで締着される内側取付ブロック及び把手と、
前記内側取付ブロックに被着されドア内面に沿って横スライド自在であり前記ドアに設けるストライクに対し施錠又は解錠するロックバーと、
前記ドアを貫通し一端が前記内側取付ブロック内に延びて軸支され他端が前記把手内に延びている回転軸と、
前記内側取付ブロック内に設けられ前記ロックバーの横スライドの直動を前記回転軸に回転運動として伝達する直動−回転動力変換機構と、
前記把手内に設けられ前記回転軸の回転に連動して施解錠状態に対応する色分け表示を前記把手に設ける表示窓より外部表示する施解錠択一表示機構と、
を備えたスライド式ドアロック装置において、
前記施解錠択一表示機構は、
前記回転軸の延長線上に一致して前記把手の正面に設けられた前記表示窓と、
前記表示窓に対応して前記把手に設けられたガイド溝にスライド可能に収容され表面に施錠状態を示す色が着いていてかつ当接したときに表示窓の中央に対応して非常用キーのキー挿入口を形成する開口縁を有する一対の施錠状態表示ピースと、
前記一対の施錠状態表示ピースの裏面に刻設された一対のカム溝及び前記回転軸の端部の鍔に突設され前記一対のカム溝に係合する一対の旋回ピンを含み、前記ロックバーが解錠状態から施錠状態になるときの前記回転軸の回転に連動して前記一対の施錠状態表示ピースを前記表示窓の中央から互いに離間して外れた位置から互いに接近して表示窓の中央で当接するカム機構と、
を備えてなることを特徴とするスライド式ドアロック装置。
【発明の詳細な説明】
【技術分野】
【０００１】
本発明は、トイレ等のドアに設置されるもので、ドア内面のロックバーを横にスライドしてドア枠に設けたストライクに係合ロックし又はロック解除すると、ドア外面の把手を設けた施解錠状態を切換表示するスライド式ドアロック装置に関する。
【背景技術】
【０００２】
従来、例えば特許文献１〜５にこの種のスライド式ドアロック装置が提案されている。従来のこの種のスライド式ドアロック装置は、いずれも、ドア内面に設けられドアを施解錠するロック手段と、ドア外面に設けられ把手とがドアを間に挟んで締着され、ドア枠にはロック手段のロックバーと係合するストライクを備えてなる。ロック手段は、ドア内面に固定する取付ブロックと、取付ブロックに摺動自在に被さる略Ｃ形チャンネル状のロックバーとを有してなる。
【０００３】
この種のスライド式ドアロック装置は、ドア閉止状態で、ロックバーを横スライドさせてドアを施錠又は解錠すると共に、ロックバーの横スライドの直動をラック・ピニオン機構で回転運動に変換し、この回転を、ドアを貫通し両端が取付ブロックと把手とに伸びている回転軸に伝達し、回転軸の先端に取り付ける円板状の表示板を例えば１８０度往復回転し得るようになっていて、表示板上に設ける例えば赤色と白色とに異なる２区分表示面を１８０度回転させて切り換えることにより、施錠状態と解錠状態に対応するいずれか一の区分表示面を把手に設ける表示窓より外部表示する構成である。
【０００４】
【特許文献１】特開２００５−１２０７６７号公報
【特許文献２】特開２００４−１９１９２号公報
【特許文献３】実開平７−１４０４２号公報
【特許文献４】特開昭６１−２０４４８３号公報
【特許文献５】実開昭５９−８７５号公報
【発明の開示】
【発明が解決しようとする課題】
【０００５】
上述したように、特許文献１〜５に係るスライド式ドアロック装置は、いずれの場合も、表示板上に設ける例えば赤色と白色とに異なる２区分表示面を１８０度回転させて切り換えることにより、施錠状態と解錠状態に対応するいずれか一の区分表示面を把手に設ける表示窓より外部表示する構成であるので、把手に設ける表示窓が、把手の正面中央ではなくて上側か下側に来て一の区分表示面を表示できるようになっている。他方、この種のスライド式ドアロック装置は、公共トイレ等で使用されるので、トイレ内で使用者の容態が悪くなって介抱が必要となる緊急事態には、非常用キーを差し込んで解錠する必要があり、非常用キーを差し込む鍵穴も把手の中央に備えることになる。
従って、把手の正面には、表示窓と非常用キーを差し込む鍵穴とが別位置に備えられるから、デザインがシンプルではなくなる。
【０００６】
本発明は、上述した点にかんがみ案出されたもので、その目的とするところは、表示窓を把手の正面中央位置に備えデザインの一層のシンプルが図れるスライド式ドアロック装置を提供することにある。
【課題を解決するための手段】
【０００７】
上述した課題を解決するため、本発明のスライド式ドアロック装置は、ドアを挟んで締着される内側取付ブロック及び把手と、前記内側取付ブロックに被着されドア内面に沿って横スライド自在であり前記ドアに設けるストライクに対し施錠又は解錠するロックバーと、前記ドアを貫通し一端が前記内側取付ブロック内に延びて軸支され他端が前記把手内に延びている回転軸と、前記内側取付ブロック内に設けられ前記ロックバーの横スライドの直動を前記回転軸に回転運動として伝達する直動−回転動力変換機構と、前記把手内に設けられ前記回転軸の回転に連動して施解錠状態に対応する色分け表示を前記把手に設ける表示窓より外部表示する施解錠択一表示機構と、を備えたスライド式ドアロック装置において、前記施解錠択一表示機構は、前記回転軸の延長線上に一致して前記把手の正面に設けられた前記表示窓と、前記表示窓に対応して前記把手に設けられたガイド溝にスライド可能に収容され表面に施錠状態を示す色が着いている開口縁を有する一対の施錠状態表示ピースと、前記一対の施錠状態表示ピースの裏面に刻設された一対のカム溝及び前記回転軸の端部の鍔に突設され前記一対のカム溝に係合する一対の旋回ピンを含み、前記ロックバーが解錠状態から施錠状態になるときの前記回転軸の回転に連動して前記一対の施錠状態表示ピースを前記表示窓の中央から互いに離間して外れた位置から互いに接近して表示窓の中央で当接するカム機構と、を備えてなることを特徴とする。
【０００８】
上記構成によれば、解錠位置から施錠位置になるまでのロックバーのスライドに回転軸の回転に連動し、一対の施錠状態表示ピースを表示窓の中央から互いに上下方向に離間して外れた位置から互いに接近し表示窓の中央で当接する。このとき、表示窓から一対の施錠状態表示ピースの表面の赤色が見えるので、これにより、施錠状態（トイレ使用中）を表示できる。施錠位置から解錠位置になるまでのロックバーのスライドに回転軸の回転に連動し、一対の施錠状態表示ピースを表示窓の中央に互いに当接した状態から表示窓から上下方向に外れる位置に互いに離間することができる。このとき、表示窓から鍔に解錠状態表示色としての着色、例えば白色面が見えるので、これにより、解錠状態（トイレ不使用）を表示できる。
本発明によれば、表示窓を把手の正面中央に設けることができ、デザインがシンプルになるスライド式ドアロック装置を提供することができる。
【０００９】
また、本発明のスライド式ドアロック装置は、ドアを挟んで締着される内側取付ブロック及び把手と、前記内側取付ブロックに被着されドア内面に沿って横スライド自在であり前記ドアに設けるストライクに対し施錠又は解錠するロックバーと、前記ドアを貫通し一端が前記内側取付ブロック内に延びて軸支され他端が前記把手内に延びている回転軸と、前記内側取付ブロック内に設けられ前記ロックバーの横スライドの直動を前記回転軸に回転運動として伝達する直動−回転動力変換機構と、前記把手内に設けられ前記回転軸の回転に連動して施解錠状態に対応する色分け表示を前記把手に設ける表示窓より外部表示する施解錠択一表示機構と、を備えたスライド式ドアロック装置において、前記施解錠択一表示機構は、前記回転軸の延長線上に一致して前記把手の正面に設けられた前記表示窓と、前記表示窓に対応して前記把手に設けられたガイド溝にスライド可能に収容され表面に施錠状態を示す色が着いていてかつ当接したときに表示窓の中央に対応して非常用キーのキー挿入口を形成する開口縁を有する一対の施錠状態表示ピースと、前記一対の施錠状態表示ピースの裏面に刻設された一対のカム溝及び前記回転軸の端部の鍔に突設され前記一対のカム溝に係合する一対の旋回ピンを含み、前記ロックバーが解錠状態から施錠状態になるときの前記回転軸の回転に連動して前記一対の施錠状態表示ピースを前記表示窓の中央から互いに離間して外れた位置から互いに接近して表示窓の中央で当接するカム機構と、を備えてなることを特徴とする。
【００１０】
上記構成によれば、解錠位置から施錠位置になるまでのロックバーのスライドに回転軸の回転に連動し、一対の施錠状態表示ピースを表示窓の中央から互いに上下方向に離間して外れた位置から互いに接近し表示窓の中央で当接しかつ開口縁により非常用キーのキー挿入口を表示窓の中央に形成する。このとき、表示窓から一対の施錠状態表示ピースの表面の赤色が見えるので、これにより、施錠状態（トイレ使用中）を表示できる。施錠位置から解錠位置になるまでのロックバーのスライドに回転軸の回転に連動し、一対の施錠状態表示ピースを表示窓の中央に互いに当接した状態から表示窓から上下方向に外れる位置に互いに離間することができる。このとき、表示窓から鍔に解錠状態表示色としての着色、例えば白色面が見え、及び鍔を貫通し雌軸に設けられた非常用キーのキー穴（例えば断面矩形の穴）が見えるので、これにより、解錠状態（トイレ不使用）を表示できる。そして、トイレ内で使用者の容態が悪くなって介抱が必要となる緊急事態には、施錠状態のとき、一対の施錠状態表示ピースの開口縁により非常用キーのキー挿入口が表示窓の中央に確保されるので、非常用キーを差し込んで回転軸を回すと直動−回転動力変換機構の働きでロックバーがスライドして解錠することができる。
本発明によれば、表示窓と非常用キーを差し込む鍵穴とを把手の正面中央の同一位置に備えることができ、デザインがシンプルになるスライド式ドアロック装置を提供することができる。
【発明の効果】
【００１１】
本発明によれば、施錠状態と開錠状態との切り替えを回転式表示切り替えでない方式にて実現することで表示窓を把手の正面中央位置に備えることができ、デザインがシンプルになるスライド式ドアロック装置を提供することができる。また本発明によれば、施解錠択一表示機構について、独立した新規部品として一対の施錠状態表示ピースを備えれば構成できるので、部品点数が少なく、組付けが容易であり、製作コストを低く抑えられる。
【発明を実施するための最良の形態】
【００１２】
以下、本発明の実施の形態について図面を参照して説明する。
【００１３】
図１〜図３に示すように、この実施形態のスライド式ドアロック装置１は、ドアＤの内面に固着される内側取付ブロック１１と、ドアＤの外面に固着される外側取付ブロック１２とこれに被着してなるカバー１３とを含む把手１４と、内側取付ブロック１１に被着したロックバー１５と、ドアＤを貫通して内側取付ブロック１１と外側取付ブロック１２に連繋して設けられる回転軸１６と、ラック・ピニオンからなる直動−回転動力変換機構１７と、施解錠択一表示機構と、を備えてなる。
【００１４】
施解錠択一表示機構は、表示窓３１と、カム溝３２ｂを有する一対の施錠状態表示ピース３２、３２と、一対の旋回ピン３４、３４と、回転軸１６の回転に連動して一対の施錠状態表示ピース３２、３２を接近又は離間するカム機構と、を備えてなる。詳細な構成は後述する。
【００１５】
施解錠択一表示機構は、把手１４内に設けられ回転軸１６の回転に連動して施錠状態と解錠状態に対応するいずれかの色分け表示を前記把手１４に設ける表示窓３１より外部表示する機能を有する構成部分である。以下、詳述する。
【００１６】
内側取付ブロック１１と外側取付ブロック１２は、樹脂成形体であり、図１（ａ）に示すように、ドアＤを挟んでドア内面とドア外面に締着される。カバー１３はステンレス製のＣ形チャンネル材の加工成形体であり外側取付ブロック１２の上面と下面に設けた直線溝１２ａに離脱不能に嵌合されて該外側取付ブロック１２の正面に被着固定されている。この実施形態では、外側取付ブロック１２とカバー１３との組立体が把手１４である。内側取付ブロック１１と把手１４のドアＤへの締着について詳述すると、ドアＤに穿孔された２つの貫通孔ｈ１を通して内側取付ブロック１１を押え付けるように設ける孔面に雌ねじを有するねじ管１８と、外側取付ブロック１２を押え付けるように設けるボルト１９と、を締結することにより、内側取付ブロック１１と把手１４とが締着される。ねじ管１８は、反対側から内側取付ブロック１１に通す固定ボルト２０により螺合固定される。なお、図１、２中に示す外開き用把手４３は、ドアＤが外開きタイプである場合に設けられ、内開きタイプである場合には外される。
【００１７】
ロックバー１５は、カバー１３と同様に、ステンレス製のＣ形チャンネル材の加工成形体であり、内側取付ブロック１１の上面と下面に設けた直線溝１１ａに離脱不能に嵌合され内側取付ブロック１１の正面に被着されかつ内側取付ブロック１１に対しドア内面に沿って一定ストロークだけ横スライド自在であり、ドア枠Ｗにいずれか１つが設けられる雄型のストライク４０又は雌型のストライク４１に対し嵌合することにより施錠し、又、嵌合を離脱することにより解錠する。符号２１は、ロックバー１５の端面を隠す化粧キャップである。
【００１８】
回転軸１６は、雄軸１６ａと、雄軸１６ａに対し回転不能・軸方向スライド可能な雌軸１６ｂとを嵌合してなる組立体である。この嵌合は、例えば四角柱と四角穴とのスライド自在な嵌合である。この実施形態では、雌軸１６ｂ内に係止突起があるとともに雄軸１６ａの断面形状が非円形になっていて、ロックバー１５を施錠状態から解錠方向に一定寸法移動するまでは、雄軸１６ａが単独で回転し、その後に雄軸１６ａと雌軸１６ｂとが一体に回転するようになっている。
雄軸１６ａは、ドアＤに内側取付ブロック１１が固定された後に、この内側取付ブロック１１に穿孔された軸収容孔に嵌挿されてドアＤに設けられた貫通孔ｈ２内を通されており、雌軸１６ｂは、ドアＤに外側取付ブロック１２が固定された後に、この外側取付ブロック１２に穿孔された軸収容孔に嵌挿されてドアＤに設けられた貫通孔ｈ２内を通され雄軸１６ａと嵌合されている。雌軸１６ｂの端部に鍔３３を有し、該鍔３３を貫通し雌軸１６ｂの一定深さとなるように例えば断面矩形のキー穴４２が設けられ（図１参照）、このキー穴４２より差し込む非常用キーＫを雄軸１６ａの先端より内部へ差し込み回転力を伝達できるように嵌合し得る。
なお、回転軸１６を雄軸１６ａと雌軸１６ｂの２分割構造としているのは、ドアＤの厚みに対する汎用性を持たせるためであり、１種類の厚みのドアＤに対応するものであれば良い場合には、２分割構造でなくて良い。
【００１９】
直動−回転動力変換機構１７は、ロックバー１５の歯部分（端縁部）に設けられたラック１７ａと、回転軸１６に設けられたピニオン１７ｂと、からなり、内側取付ブロック１１の開口から突出するピニオン１７ｂの一部がラック１７ａと噛合し、ロックバー１５の横スライドの直動を回転軸１６に回転運動として伝達する。ピニオン１７ｂは、間欠歯車として設けられており、ロックバー１５の施錠位置と解錠位置と間のスライドストロークだけ、動力伝達ができるようになっている。
【００２０】
施解錠択一表示機構について以下に説明する。
表示窓３１は、この実施形態では、回転軸１６の軸線の延長上に一致して把手１４を構成するカバー１３の中央に矩形口となるように形成されている。
【００２１】
一対の施錠状態表示ピース３２、３２は、表示窓３１に対応し、把手１４を構成する外側取付ブロック１２に設けられたガイド溝１２ｂに、上下方向にスライド可能に収容されている。一対の施錠状態表示ピース３２、３２は、表面に施錠状態（トイレ使用中）を示す色として例えば赤色に着色されている。一対の施錠状態表示ピース３２、３２は、互いに当接する端縁にコ字形の開口縁３２ａ、３２ａを有している。一対の施錠状態表示ピース３２、３２は、表示窓３１の中央に対応して互いに当接したときに開口縁３２ａ、３２ａが合わさって非常用キーＫのキー挿入口を形成する。
【００２２】
回転軸１６を構成する雌軸１６ｂの端部の鍔３３の１８０度異なる位置に一対の旋回ピン３４、３４が突設されている。一対の旋回ピン３４、３４は、一対の施錠状態表示ピース３２、３２の裏面に刻設されたカム溝３２ｂに係合し、雌軸１６ｂが一方向に回転すると、それぞれのカム溝３２ｂ内を一方向に移動して一対の施錠状態表示ピース３２、３２を互いに接近させて当接し、また雌軸１６ｂが他方向に回転すると、カム溝３２ｂ内を他方向に移動して施錠状態表示ピース３２、３２を互いに離間させる。
【００２３】
図４は、ロックバー１５が解錠方向に移動し解錠直前の施錠状態にあり、施解錠表示も未だ施錠状態（トイレ使用中）を表示中の動作段階に対応した状態を示す。
図５は、ロックバー１５がさらに解錠方向に移動途中の位置であり解錠が行われ施解錠表示が解錠表示に解錠状態（トイレ不使用）に表示が切り替わった動作段階に対応した状態を示す（図６参照）。
【００２４】
従って、一対の旋回ピン３４、３４と一対のカム溝３２ｂ、３２ｂからなるカム機構は、ロックバー１５がストライク４０又は４１に対し解錠状態から施錠状態になるときの回転軸１６の回転に連動し、一対の施錠状態表示ピース３２、３２を表示窓３１の中央から互いに上下方向に離間して外れた位置から互いに接近し表示窓３１の中央で当接しかつ開口縁３２ａ、３２ａにより非常用キーＫのキー挿入口を表示窓３１の中央に形成する。このとき、表示窓３１から一対の施錠状態表示ピース３２、３２の表面の赤色が見えるので、これにより、施錠状態（トイレ使用中）を表示できる。
図４は、ロックバー１５が解錠方向に移動し解錠直前の施錠状態にあり、施解錠表示も未だ施錠状態（トイレ使用中）を表示中の動作段階に対応した状態を示す。
【００２５】
また、カム機構は、ロックバー１５がストライク４０又は４１に対し施錠状態から解錠状態になるときの回転軸１６の回転に連動し、一対の施錠状態表示ピース３２、３２を表示窓３１の中央に互いに当接した状態から表示窓３１から上下方向に外れる位置に互いに離間する。図５は、ロックバー１５がさらに解錠方向に移動途中の位置であり解錠が行われ施解錠表示が解錠表示に解錠状態（トイレ不使用）に表示が切り替わった動作段階に対応した状態を示す。このとき、表示窓３１から鍔３３に解錠状態表示色としての着色、例えば白色面が見え、及び鍔３３を貫通し雌軸１６ｂに設けられた非常用キーＫのキー穴（例えば断面矩形の穴）４２が見えるので、これにより、解錠状態（トイレ不使用）を表示できる。図６は、ロックバー１５が解錠方向に完全移動した状態を示す。
【００２６】
スライド式ドアロック装置は、公共トイレ等で使用されるので、トイレ内で使用者の容態が悪くなって介抱が必要となる緊急事態には、非常用キーＫを差し込んで解錠する必要がある。図７は、施錠状態を示し、解錠するため非常用キーＫをキー挿入口に差し込んだところを示す。図７に示すように、施錠状態のとき、一対の施錠状態表示ピース３２、３２の開口縁３２ａ、３２ａにより非常用キーＫのキー挿入口が表示窓３１の中央に確保されるので、非常用キーＫを差し込むと雄軸１６ａに回転伝達可能に係合でき（図７（ｃ）参照）、非常用キーＫをひねって回転軸１６を回すと直動−回転動力変換機構１７の働きでロックバー１５がスライドして解錠することができる。図８は、非常用キーＫを回して解錠が行われロックバー１５が解錠方向に完全移動した状態を示す。
【００２７】
上記の実施形態では、非常用キーＫを差し込んで解錠することができるスライド式ドアロック装置を示したが、非常用キーＫを差し込まないタイプのスライド式ドアロック装置については、構成、作用、効果を省略する。
【００２８】
〔その他の実施形態〕
本発明は、上記の実施形態に限定されるものでなく、特許請求の範囲に記載された発明の要旨を逸脱しない範囲内での種々、設計変更した形態を技術的範囲に含まれるものである。
【図面の簡単な説明】
【００２９】
【図１】（ａ）は本発明のスライド式ドアロック装置を示す水平断面図、（ｂ）は（ａ）におけるVI−VI矢視の位置の断面図、（ｃ）は（ａ）におけるＩ−Ｉ矢視の位置の断面図、である。
【図２】図１のスライド式ドアロック装置を示す分解斜視図である。
【図３】図１のスライド式ドアロック装置を図２と反対向きに示す分解斜視図である。
【図４】図１のスライド式ドアロック装置のロックバーが解錠方向に少し移動した動作段階の図１中のＩ−Ｉ矢視、II−II矢視、III−III矢視、Ｖ−Ｖ矢視の位置の各断面図である。
【図５】図４に続く解錠途中の、図１中のＩ−Ｉ矢視、II−II矢視、III−III矢視、Ｖ−Ｖ矢視の位置の各断面図である。
【図６】図５に続く解錠動作完了時の、図１中のＩ−Ｉ矢視、II−II矢視、III−III矢視、Ｖ−Ｖ矢視の位置の各断面図である。
【図７】図１のスライド式ドアロック装置のキー挿入口に非常用キーを差し込んだ状態の、図１中のＩ−Ｉ矢視、II−II矢視、III−III矢視、IV−IV矢視、Ｖ−Ｖ矢視の位置の各断面図である。
【図８】図７の後の動作状態を示し、非常用キーを回して解錠が行われた状態の、図１中のＩ−Ｉ矢視、II−II矢視、III−III矢視、IV−IV矢視、Ｖ−Ｖ矢視の位置の各断面図である。
【符号の説明】
【００３０】
１  スライド式ドアロック装置
Ｄ    ドア
１１  内側取付ブロック
１２  外側取付ブロック
１２ｂ  ガイド溝
１３  カバー
１４  把手
１５  ロックバー
１６  回転軸
１６ａ  雄軸
１６ｂ  雌軸
１７  直動−回転動力変換機構
１７ａ  ラック
１７ｂ  ピニオン
３１  表示窓
３２  施錠状態表示ピース
３２ａ  開口縁
３２ｂ  カム溝（カム機構）
３３  鍔（カム機構）
３４  旋回ピン（カム機構）
４０  ストライク
４１  ストライク
Ｋ  非常用キー
【図１】
2010090554.tif 000003
【図２】
2010090554.tif 000004
【図３】
2010090554.tif 000005
【図４】
2010090554.tif 000006
【図５】
2010090554.tif 000007
【図６】
2010090554.tif 000008
【図７】
2010090554.tif 000009
【図８】
2010090554.tif 000010